【手続補正書】
【提出日】平成17年3月31日(2005.3.31)
【手続補正１】
【補正対象書類名】明細書
【補正対象項目名】特許請求の範囲
【補正方法】変更
【補正の内容】
【特許請求の範囲】
【請求項１】
ネットワークに接続し、サーバより自端末の１つ以上のネットワークパラメータを取得するネットワーク端末装置において、
サーバよりネットワークパラメータの取得を開始する際に、あらかじめ登録されているサーバのＩＰアドレスを保存し、その保存したＩＰアドレスと一致するＩＰアドレスを有するサーバに対して、ネットワークパラメータの取得を要求するようにしたことを特徴とするネットワーク端末装置。
【請求項２】
ネットワークに接続し、サーバより自端末の１つ以上のネットワークパラメータを取得するネットワーク端末装置において、
サーバよりネットワークパラメータの取得を行う際、複数のサーバより応答信号を受信した場合には、その時点で自端末に設定されているＩＰアドレスと同一ＩＰアドレスを提示したサーバに対して、ネットワークパラメータの取得を要求するようにしたことを特徴とするネットワーク端末装置。
【請求項３】
ネットワークに接続し、サーバより自端末の１つ以上のネットワークパラメータを取得するネットワーク端末装置において、
サーバよりネットワークパラメータの取得を行う際、複数のサーバより応答信号を受信した場合には、最も長いＩＰアドレスのリース時間を提示したサーバを選択し、その選択したサーバに対して、ネットワークパラメータの取得を要求するようにしたことを特徴とするネットワーク端末装置。
【請求項４】
ネットワークに接続し、サーバより自端末の１つ以上のネットワークパラメータを取得するネットワーク端末装置において、
サーバよりネットワークパラメータの取得を行う際、複数のサーバより応答信号を受信した場合には、それぞれのサーバが提示するＴＣＰ／ＩＰ構成情報を参照して、それぞれのサーバに対して、所定の優先順位を設定し、その設定した優先順位が最も高いサーバを選択し、その選択したサーバに対して、ネットワークパラメータの取得を要求するようにしたことを特徴とするネットワーク端末装置。
【請求項５】
ネットワークに接続し、サーバより自端末の１つ以上のネットワークパラメータを取得するネットワーク端末装置において、
サーバよりネットワークパラメータの取得を行う際、複数のサーバより応答信号を受信した場合には、それぞれのサーバが提示するＴＣＰ／ＩＰ構成情報の項目数を調べ、最も多くの項目を提示したサーバを選択し、その選択したサーバに対して、ネットワークパラメータの取得を要求するようにしたことを特徴とするネットワーク端末装置。
【請求項６】
ネットワークに接続し、サーバより自端末の１つ以上のネットワークパラメータを取得するネットワーク端末装置において、
サーバよりネットワークパラメータの取得を行う際、複数のサーバより応答信号を受信した場合、サーバを選択する際、
最も長いＩＰアドレスのリース時間を提示したサーバを選択する第１の選択条件、
それぞれのサーバが提示するＴＣＰ／ＩＰ構成情報を参照して、それぞれのサーバに対して、所定の優先順位を設定し、その設定した優先順位が最も高いサーバを選択する第２の選択条件、
それぞれのサーバが提示するＴＣＰ／ＩＰ構成情報の項目数を調べ、最も多くの項目を提示したサーバを選択する第３の選択条件を設定し、
上記第１の選択条件、第２の選択条件、第３の選択条件から、２つまたは３つを選び、それらの選択条件に所定の優先順位を設定して新たな選択条件を設定し、その新たな選択条件に従ってサーバを選択し、その選択したサーバに対して、ネットワークパラメータの取得を要求するようにしたことを特徴とするネットワーク端末装置。
【手続補正２】
【補正対象書類名】明細書
【補正対象項目名】０００８
【補正方法】変更
【補正の内容】
【０００８】
【課題を解決するための手段】
本発明は、ネットワークに接続し、サーバより自端末の１つ以上のネットワークパラメータを取得するネットワーク端末装置において、サーバよりネットワークパラメータの取得を開始する際に、あらかじめ登録されているサーバのＩＰアドレスを保存し、その保存したＩＰアドレスと一致するＩＰアドレスを有するサーバに対して、ネットワークパラメータの取得を要求するようにしたものである。
【手続補正３】
【補正対象書類名】明細書
【補正対象項目名】０００９
【補正方法】変更
【補正の内容】
【０００９】
また、ネットワークに接続し、サーバより自端末の１つ以上のネットワークパラメータを取得するネットワーク端末装置において、サーバよりネットワークパラメータの取得を行う際、複数のサーバより応答信号を受信した場合には、その時点で自端末に設定されているＩＰアドレスと同一ＩＰアドレスを提示したサーバに対して、ネットワークパラメータの取得を要求するようにしたものである。
【手続補正４】
【補正対象書類名】明細書
【補正対象項目名】００１０
【補正方法】変更
【補正の内容】
【００１０】
また、ネットワークに接続し、サーバより自端末の１つ以上のネットワークパラメータを取得するネットワーク端末装置において、サーバよりネットワークパラメータの取得を行う際、複数のサーバより応答信号を受信した場合には、最も長いＩＰアドレスのリース時間を提示したサーバを選択し、その選択したサーバに対して、ネットワークパラメータの取得を要求するようにしたものである。
【手続補正５】
【補正対象書類名】明細書
【補正対象項目名】００１１
【補正方法】変更
【補正の内容】
【００１１】
また、ネットワークに接続し、サーバより自端末の１つ以上のネットワークパラメータを取得するネットワーク端末装置において、サーバよりネットワークパラメータの取得を行う際、複数のサーバより応答信号を受信した場合には、それぞれのサーバが提示するＴＣＰ／ＩＰ構成情報を参照して、それぞれのサーバに対して、所定の優先順位を設定し、その設定した優先順位が最も高いサーバを選択し、その選択したサーバに対して、ネットワークパラメータの取得を要求するようにしたものである。
【手続補正６】
【補正対象書類名】明細書
【補正対象項目名】００１２
【補正方法】変更
【補正の内容】
【００１２】
また、ネットワークに接続し、サーバより自端末の１つ以上のネットワークパラメータを取得するネットワーク端末装置において、サーバよりネットワークパラメータの取得を行う際、複数のサーバより応答信号を受信した場合には、それぞれのサーバが提示するＴＣＰ／ＩＰ構成情報の項目数を調べ、最も多くの項目を提示したサーバを選択し、その選択したサーバに対して、ネットワークパラメータの取得を要求するようにしたものである。
【手続補正７】
【補正対象書類名】明細書
【補正対象項目名】００１３
【補正方法】変更
【補正の内容】
【００１３】
また、ネットワークに接続し、サーバより自端末の１つ以上のネットワークパラメータを取得するネットワーク端末装置において、サーバよりネットワークパラメータの取得を行う際、複数のサーバより応答信号を受信した場合、サーバを選択する際、最も長いＩＰアドレスのリース時間を提示したサーバを選択する第１の選択条件、それぞれのサーバが提示するＴＣＰ／ＩＰ構成情報を参照して、それぞれのサーバに対して、所定の優先順位を設定し、その設定した優先順位が最も高いサーバを選択する第２の選択条件、それぞれのサーバが提示するＴＣＰ／ＩＰ構成情報の項目数を調べ、最も多くの項目を提示したサーバを選択する第３の選択条件を設定し、上記第１の選択条件、第２の選択条件、第３の選択条件から、２つまたは３つを選び、それらの選択条件に所定の優先順位を設定して新たな選択条件を設定し、その新たな選択条件に従ってサーバを選択し、その選択したサーバに対して、ネットワークパラメータの取得を要求するようにしたものである。